(57)【特許請求の範囲】
【請求項１】
産業車両において、カウンタウエイト(１１)の上面に、前後左右に４つある角隅のうちの片側後側の１つの角隅にカウンタウエイト(１１)の幅方向とは直角となる方向に延出する支持部(６ａ)を備えたカウンタウエイト(１１)の幅方向に沿って細長い略長方形の板状のベース(６)をカウンタウエイト(１１)の上面の吊り穴(１２)とボルト(８)の締着により水平方向に固定し、前記略長方形の板状のベース(６)の支軸部(６ａ)の上面に軸(７)を突設し、この軸(７)に回動可能に長方形の回転板(１)をその一端において嵌め込み、回転板(１)のベース(６)に対する枢支により長方形の回転板(１)をベース(６)に対し水平方向に回動可能に支持し、軸(７)を支軸にして回転板(１)を回動したときに後側の側縁となる後方側縁(１ａ)にはヒンジ(３)を介して支持枠(２)を回転板(１)に対して上下方向に枢動可能に装着し、回転板(１)とこれに枢着された支持枠(２)の間に、支持枠(２)の枢動に際し作業者の受ける重量を軽減可能な簡易補助機器(４)を介在し、該支持枠(２)の側辺にボンベ取り付けバンド(９)を設けると共に、支持枠(２)の先端にボンベの荷重を支持可能な取手(５)を設け、回転板(１)と支持枠(２)は、固定取り付け位置では支持枠(２)が回転板(１)と水平位置になるように支持され、且つベース(６)に対して上方向に並列に離間し、水平状態で収納され、ボンベ取り替え位置では、ベース(６)に対して回転板(１)は支持枠(２)と共に水平面上で車両後方向へ所定角度回動してカウンタウエイト(１１)の後方に配置され、且つその位置で支持枠(２)は回転板(１)に対しヒンジ(３)を中心に下方向に所定角度回動した状態で支持され、取っ手(５)を下端とするボンベ交換可能な高さへと配置され、回転板(１)のベース(６)に対する水平方向の枢着と、支持枠(２)の回転板(１)に対する上下方向の枢着とによる２つの回動の組合せにより、取っ手(５)の操作で支持枠(２)を所定位置に配置可能としたことを特徴とする燃料ガスボンベ用ブラケット。
【発明の詳細な説明】
【０００１】
【発明の属する技術分野】
本発明は、燃料ガスボンベを搭載した産業車両のボンベ固定装置に関する。
【０００２】
【従来の技術】
従来技術として、ボンベ用ブラケットを側面へ回動して下方へ下ろす特開平８ー１９２９９９号公報、ボンベ用ブラケットを後方へスイングして下方へ下ろす特開平７ー２６７５９６号公報、ボンベ用ブラケットをレールでガイドして後方へ移動して下ろす実開平７ー３５１５０号公報などがある。
【０００３】
【発明が解決しようとする課題】
しかし上記従来技術の第１例では、ボンベ交換を車両の左右側面で行うこととなり、狭い通路での突然のガス欠の場合に交換作業が困難である。また第２例では、スイングすることで、高さは幾分下がるが地上からは未だ距離があり、ボンベを高く持ち上げる必要があり、カウンタウエイトの後部に寄せて積載することとなり後方視界が悪くなる。さらに第３例では、カウンタウエイト後面へ設けたレールが端面から出っ張ることとなり、後進あるいは旋回時の接触や破損の恐れがある。この発明はこのような不具合を解決することを課題とした。
【０００４】
【課題を解決するための手段及び作用効果】
産業車両において、カウンタウエイト１１の上面に、前後左右に４つある角隅のうちの片側後側の１つの角隅にカウンタウエイト１１の幅方向とは直角になる方向に延出する支持部６ａを備えたカウンタウエイト１１の幅方向に沿って細長い略長方形の板状のベース６をカウンタウエイト１１の上面の吊り穴１２とボルト８の締着により水平方向に固定し、前記略長方形の板状のベース６の支軸部６ａの上面に軸７を突設し、この軸７に回動可能に長方形の回転板１をその一端において嵌め込み、回転板１のベース６に対する枢支により長方形の回転板１をベース６に対し水平方向に回動可能に支持し、軸７を支軸にして回転板１を回動したときに後側の側縁となる後方側縁１ａにはヒンジ３を介して支持枠２を回転板１に対して上下方向に枢動可能に装着し、回転板１とこれに枢着された支持枠２の間に、支持枠２の枢動に際し作業者の受ける重量を軽減可能な簡易補助機器４を介在し、該支持枠２の側辺にボンベ取り付けバンド９を設けると共に、支持枠２の先端にボンベの荷重を支持可能な取手５を設け、回転板１と支持枠２は、固定取り付け位置では支持枠２が回転板１と水平位置になるように支持され、且つベース６に対して上方向に並列に離間し、水平状態で収納され、ボンベ取り替え位置では、ベース６に対して回転板１は支持枠２と共に水平面上で車両後方向へ所定角度回動してカウンタウエイト１１の後方に配置され、且つその位置で支持枠２は回転板１に対しヒンジ３を中心に下方向に所定角度回動した状態で支持され、取っ手５を下端とするボンベ交換可能な高さへと配置され、回転板１のベース６に対する水平方向の枢着と、支持枠２の回転板１に対する上下方向の枢着とによる２つの回動の組合せにより、取っ手５の操作で支持枠２を所定位置に配置可能としたことを特徴とする燃料ガスボンベ用ブラケットとしている。
【０００５】
上述の構成としているので、燃料ガスボンベを、図１に示す固定取り付けた位置から、図２に示すように、支持枠と連結した回転板とを一体のまま、ベースの軸を中心として水平にカウンタウエイトの後方へ回動し、取り出し位置へ移動した後、支持枠をヒンジの軸芯を中心に取っ手により、下方へ折曲げて、図３に示すボンベを後部取り替え位置へ下げていくことで、ボンベ交換作業が容易に可能な高さとすることができる。
【０００６】
従ってボンベ交換を実施する作業者が、重量のあるボンベを無理に高い所まで持ち上げる必要がなくなると共に、狭い通路で突然ガス欠になったとしても、ボンベ交換が容易にできるほか、運転席に寄せてボンベを配置できるので、後方視界を確保することも容易であり、作業者の疲労軽減と作業安全の面で大いに役立つ。
【０００７】
【発明の実施の形態】
以下この発明の実施例について、図面により説明する。図１はボンベ固定取り付け状態の上面図、図２はボンベ旋回取り出し位置の上面図、図３はボンベ後部取り替え位置の側面図、図４は図1の側面図を示している。図１において、燃料ガスボンベ１３を取り付ける支持枠２は、カウンタウエイト１１の上面の吊り穴１２にボルト８で固定された、ベース６上面の軸７に嵌め込まれており、その軸７を中心として回動可能な回転板１と、ヒンジ３と簡易補助機器４とを用いて連結されている。
【０００８】
図１は、ボンベ１３をカウンタウエイト１１へ固定取り付けたボンベ固定取り付け状態を示す。支持枠２の取っ手５を把持して、この図１に示されたボンベ固定取り付けた状態から、軸７を中心として回転板１と支持枠２を一体に水平に後方側へ回動して、取り出し位置へ移動した状態とする。
そして、後述するように、支持枠２と連結している回転板１は一体のまま図１に示すボンベ固定取り付け位置から、図２に示すように、ベース６上面の軸７を中心として水平方向にカウンタウエイト１１の後方側へ回動するものである。カウンタウエイト１１の上面に備えられるベース６は、図１，図２に示すように、カウンタウエイト１１の幅方向に細長い略長方形の板状のもので、前後左右に４つある角隅のうちの片側後側の１つの角隅にカウンタウエイト１１の幅方向とは直角となる方向に延出形成した支軸部６ａを備えている。従って、支持枠２と連結している回転板１は、ベース６上面の角隅に直角方向に延出形成した支軸部６ａに取り付けた軸７を中心として水平方向にカウンタウエイト１１の後方向へ回動するものである。軸７を支軸にして回転板１を回動したときに後側の側縁となる回転板１の後方側縁１ａにヒンジ３を介して支持枠２を回転板２に対して上下方向に枢動可能に装着する。
図２は、このボンベ旋回取出し位置を示している。図３は、水平方向に旋回しボンベ旋回取り出し位置を示す図２のこのボンベ旋回取出し位置を側方から見て、ボンベが水平状態にある図を仮想線で示すと共に、このボンベ旋回取り出し位置から、回転板１のヒンジ３を中心として支持枠２を下方へ折曲げた状態を仮想線で示している。支持枠２を下方へ折曲げた状態がボンベ１３を取り替えるボンベ後部取り替え位置である。支持枠２は、支持枠２の先端にボンベの荷重を支持可能に支持枠２と直交して設けた取っ手５を作動することにより水平状態から折曲げ状態にセットすることができ、この折曲げ状態に位置決め可能となっていると共に、ボンベ１３を取り付けるためのバンド９が設けられている。
【０００９】
従って燃料ガスボンベ１３を交換する時は、図１に示すボンベ固定取り付け位置から、支持枠２と連結している回転板１とを一体のまま、図２に示すように、ベース６上面の軸７を中心として水平方向にカウンタウエイト１１の後方側へ回動し、取り出し位置へ移動した後、支持枠２をヒンジ３の軸芯を中心に取っ手５により、下方へ折曲げて図３に示すように、ボンベ１３を後部取り替え位置へ下げていくことで、ボンベ交換作業が容易に可能な高さとすることができる。
上記において、図２に示す後方向側へ回動した取り出し位置へ移動した後、支持枠２を、図３に示すように、取っ手５により下方へ折り曲げ可能となっているが、これは、図２に示すようにヒンジ３が回転板１の後方側縁1aにおいて接続され、ヒンジ３の軸芯を中心にボンベ１３を後部取り替え位置へと折り曲げ可能となっているからである。
【００１０】
回転板１からヒンジ３箇所での折り曲げにより支持枠２を下げて、ボンベ後部取り替え位置へともたらし、このボンベ後部取り替え位置でボンベ１３を満タンのものと取り替えた後、支持枠２を水平に上げる。この水平に上げて取り出し位置に戻す際には、燃料ガスボンベ１３を取り付ける支持枠２は、これとヒンジ３により連結された回転板１が、簡易補助機器４を用いて連結されているので、簡易補助機器４の作用により作業者は重量を直接受けることなく、楽に戻すことができるように考慮がなされている。簡易補助機器４としては、市販のガススプリングなどの簡単な省力機器を選択すればよい。
【００１１】
ボンベ１３を取り替えた後は、手順を逆にたどっていけばよく、ガススプリングなどの簡易補助機器４の力を利用しているので、支持枠２の取っ手５を使い、容易に満タンのボンベ１３を水平状態に戻すことができ、その後、軸７を中心に支持枠２を固定取り付け位置に回動すればよい。
【００１２】
この発明による燃料ガスボンベ用ブラケットを使用することにより、ボンベ交換を実施する作業者が、重量のあるボンベ１３を無理に高い所まで持ち上げる必要がなくなると共に、狭い通路で突然ガス欠が生じたとしても交換が容易にできるほか、運転席側へ寄せてボンベ１３を配置することができるので、後方視界を確保することが容易となり、作業者の疲労軽減と作業安全の面で大いに役立つものとなる。
【図面の簡単な説明】
【図１】ボンベ固定取り付け状態の上面図である。
【図２】ボンベ旋回取り出し位置の上面図である。
【図３】ボンベ後部取り替え位置の側面図である。
【図４】図１の側面図である。
【符号の説明】
１・・・・・ 回転板
１a・・・・  後方側縁
２・・・・・ 支持枠
３ ・・・・・ヒンジ
４ ・・・・・簡易補助機器
５・・・・・ 取っ手
６ ・・・・・ベース
６a・・・・・支軸部
７・・・・・ 軸
８ ・・・・・ボルト
９・・・・・ バンド
１１ ・・・・カウンタウエイト
１２ ・・・・吊り穴
【図１】
0003725362.tif 000002
【図２】
0003725362.tif 000003
【図３】
0003725362.tif 000004
【図４】
0003725362.tif 000005